(57)【要約】【課題】工作機械における計測結果をより適切に分析すること。【解決手段】計測結果分析装置１は、工作機械における計測結果と、前記計測結果に対応する計測の属性とが対応付けられた計測結果情報に基づいて、前記計測結果情報を分類する計測結果分類部１１ｄと、前記計測結果情報について出力が指示された分析結果の内容に基づいて、前記計測結果情報の分類を含む関連情報を取得する計測結果抽出部１１ｆと、前記計測結果抽出部１１ｆによって取得された前記関連情報に基づいて、前記計測結果情報に関する分析結果を出力する分析結果表示部１１ｇと、を備える。【選択図】図１
2019128678.tif 000002
【特許請求の範囲】
【請求項１】
工作機械における計測結果と、前記計測結果に対応する計測の属性とが対応付けられた計測結果情報に基づいて、前記計測結果情報を分類する計測結果分類部と、
前記計測結果情報について出力が指示された分析結果の内容に基づいて、前記計測結果情報の分類を含む関連情報を取得する関連情報取得部と、
前記関連情報取得部によって取得された前記関連情報に基づいて、前記計測結果情報に関する分析結果を出力する分析結果出力部と、
を備えることを特徴とする計測結果分析装置。
【請求項２】
前記計測結果分類部は、前記計測結果情報が既に存在する前記計測結果情報の分類に該当するか否かを判定し、前記計測結果情報が既に存在する前記計測結果情報の分類に該当する場合、該当している前記計測結果情報の分類を設定し、前記計測結果情報が既に存在する前記計測結果情報の分類に該当しない場合、前記計測結果情報の分類を新たに生成し、生成した新たな前記計測結果情報の分類を設定することを特徴とする請求項１に記載の計測結果分析装置。
【請求項３】
前記計測結果分類部によって分類された前記計測結果情報に対し、比較対象となる他の前記計測結果の分類を特定する分析対象分類部を更に備え、
前記関連情報取得部は、前記計測結果情報について出力が指示された分析結果の内容に基づいて、前記計測結果情報の分類及び比較対象となる他の前記計測結果の分類を含む関連情報を取得することを特徴とする請求項１又は２に記載の計測結果分析装置。
【請求項４】
前記分析対象分類部は、前記計測結果分類部によって分類された前記計測結果情報に対し、前記工作機械における計測結果及び前記計測結果に対応する計測の属性を構成する項目の１つが異なる他の前記計測結果に設定された分類を、比較対象となる他の前記計測結果の分類として特定することを特徴とする請求項３に記載の計測結果分析装置。
【請求項５】
前記計測結果分類部は、前記計測結果情報の分類結果に基づいて、前記計測結果情報とその分類を示す情報とが対応付けられた分類テーブルを生成し、
前記分析対象分類部は、前記計測結果情報の分類と特定した比較対象となる他の前記計測結果の分類とが対応付けられた分析対象テーブルを生成することを特徴とする請求項３又は４に記載の計測結果分析装置。
【請求項６】
前記工作機械における計測を実行する計測実行部を備えることを特徴とする請求項１から５のいずれか１項に記載の計測結果分析装置。
【請求項７】
工作機械における計測結果と、前記計測結果に対応する計測の属性とが対応付けられた計測結果情報に基づいて、前記計測結果情報を分類する計測結果分類ステップと、
前記計測結果情報について出力が指示された分析結果の内容に基づいて、前記計測結果情報の分類を含む関連情報を取得する関連情報取得ステップと、
前記関連情報取得ステップにおいて取得された前記関連情報に基づいて、前記計測結果情報に関する分析結果を出力する分析結果出力ステップと、
を含むことを特徴とする計測結果分析方法。
【請求項８】
コンピュータに、
工作機械における計測結果と、前記計測結果に対応する計測の属性とが対応付けられた計測結果情報に基づいて、前記計測結果情報を分類する計測結果分類機能と、
前記計測結果情報について出力が指示された分析結果の内容に基づいて、前記計測結果情報の分類を含む関連情報を取得する関連情報取得機能と、
前記関連情報取得機能によって取得された前記関連情報に基づいて、前記計測結果情報に関する分析結果を出力する分析結果出力機能と、
を実現させることを特徴とするプログラム。
【発明の詳細な説明】
【技術分野】
【０００１】
本発明は、計測結果分析装置、計測結果分析方法及びプログラムに関する。
【背景技術】
【０００２】
従来、工作機械において実行された工具やワークの計測結果を記憶する技術が知られている。例えば、特許文献１においては、工作機械における計測結果を工具情報と共に記憶し、ユーザの指示に応じて表示する技術が開示されている。
【先行技術文献】
【特許文献】
【０００３】
【特許文献１】特開平１０−１４３２１９号公報
【発明の概要】
【発明が解決しようとする課題】
【０００４】
しかしながら、従来の技術においては、工作機械における計測結果が計測の実行順に記憶されているのみである。この場合、例えば、工具の性能を比較するために、工具以外が同一の条件の計測結果を比較し、工具の摩耗の傾向を読み取るといった分析を行うことが容易ではない。即ち、従来の技術においては、工作機械における計測結果を適切に分析することが困難であった。
【０００５】
本発明は、工作機械における計測結果をより適切に分析することを目的とする。
【課題を解決するための手段】
【０００６】
（１）本発明の一態様の計測結果分析装置（例えば、後述の計測結果分析装置１）は、工作機械における計測結果と、前記計測結果に対応する計測の属性とが対応付けられた計測結果情報に基づいて、前記計測結果情報を分類する計測結果分類部（例えば、後述の計測結果分類部１１ｄ）と、前記計測結果情報について出力が指示された分析結果の内容に基づいて、前記計測結果情報の分類を含む関連情報を取得する関連情報取得部（例えば、後述の計測結果抽出部１１ｆ）と、前記関連情報取得部によって取得された前記関連情報に基づいて、前記計測結果情報に関する分析結果を出力する分析結果出力部（例えば、後述の分析結果表示部１１ｇ）と、を備えることを特徴とする。
【０００７】
（２）  （１）の計測結果分析装置において、前記計測結果分類部は、前記計測結果情報が既に存在する前記計測結果情報の分類に該当するか否かを判定し、前記計測結果情報が既に存在する前記計測結果情報の分類に該当する場合、該当している前記計測結果情報の分類を設定し、前記計測結果情報が既に存在する前記計測結果情報の分類に該当しない場合、前記計測結果情報の分類を新たに生成し、生成した新たな前記計測結果情報の分類を設定することとしてもよい。
【０００８】
（３）  （１）又は（２）の計測結果分析装置において、前記計測結果分類部によって分類された前記計測結果情報に対し、比較対象となる他の前記計測結果の分類を特定する分析対象分類部（例えば、後述の分析対象分類部１１ｅ）を更に備え、前記関連情報取得部は、前記計測結果情報について出力が指示された分析結果の内容に基づいて、前記計測結果情報の分類及び比較対象となる他の前記計測結果の分類を含む関連情報を取得することとしてもよい。
【０００９】
（４）  （３）の計測結果分析装置において、前記分析対象分類部は、前記計測結果分類部によって分類された前記計測結果情報に対し、前記工作機械における計測結果及び前記計測結果に対応する計測の属性を構成する項目の１つが異なる他の前記計測結果に設定された分類を、比較対象となる他の前記計測結果の分類として特定することとしてもよい。
【００１０】
（５）  （３）又は（４）の計測結果分析装置において、前記計測結果分類部は、前記計測結果情報の分類結果に基づいて、前記計測結果情報とその分類を示す情報とが対応付けられた分類テーブルを生成し、前記分析対象分類部は、前記計測結果情報の分類と特定した比較対象となる他の前記計測結果の分類とが対応付けられた分析対象テーブルを生成することとしてもよい。
【００１１】
（６）  （１）から（５）の計測結果分析装置において、前記工作機械における計測を実行する計測実行部（例えば、後述のプログラム実行部１１ｂ）を備えることとしてもよい。
【００１２】
（７）  また、本発明の一態様の計測結果分析方法は、工作機械における計測結果と、前記計測結果に対応する計測の属性とが対応付けられた計測結果情報に基づいて、前記計測結果情報を分類する計測結果分類ステップと、前記計測結果情報について出力が指示された分析結果の内容に基づいて、前記計測結果情報の分類を含む関連情報を取得する関連情報取得ステップと、前記関連情報取得ステップにおいて取得された前記関連情報に基づいて、前記計測結果情報に関する分析結果を出力する分析結果出力ステップと、を含むことを特徴とする。
【００１３】
（８）本発明の一態様のプログラムは、コンピュータに、工作機械における計測結果と、前記計測結果に対応する計測の属性とが対応付けられた計測結果情報に基づいて、前記計測結果情報を分類する計測結果分類機能と、前記計測結果情報について出力が指示された分析結果の内容に基づいて、前記計測結果情報の分類を含む関連情報を取得する関連情報取得機能と、前記関連情報取得機能によって取得された前記関連情報に基づいて、前記計測結果情報に関する分析結果を出力する分析結果出力機能と、を実現させることを特徴とする。
【発明の効果】
【００１４】
本発明によれば、工作機械における計測結果をより適切に分析することができる。
【図面の簡単な説明】
【００１５】
【図１】本発明の一実施形態に係る計測結果分析装置の構成を示すブロック図である。
【図２】計測結果情報の一例を示す模式図である。
【図３】分類テーブルの一例を示す模式図である。
【図４】分析対象テーブルの一例を示す模式図である。
【図５】計測結果の分析結果を表示させるための入力画面例を示す模式図である。
【図６】工具の相違に関連する分析結果の例を示す模式図である。
【図７】プログラムの相違に関連する分析結果の例を示す模式図である。
【図８】ワークの形状に関する分析結果の例を示す模式図である。
【図９】計測結果分析装置が実行する計測結果分析処理の流れを説明するフローチャートである。
【発明を実施するための形態】
【００１６】
以下、本発明の実施形態について、図面を参照して説明する。
［構成］
図１は、本発明の一実施形態に係る計測結果分析装置１の構成を示すブロック図である。図１に示すように、計測結果分析装置１は、ＣＰＵ（Ｃｅｎｔｒａｌ  Ｐｒｏｃｅｓｓｉｎｇ  Ｕｎｉｔ）１１と、ＲＯＭ１２と、ＲＡＭ１３と、入力部１４と、表示部１５と、記憶部１６と、通信部１７とを備えている。
【００１７】
図１において、ＣＰＵ１１は、記憶部１６に記憶された各種プログラムを実行することにより、計測結果分析装置１の全体を制御する。例えば、ＣＰＵ１１は、工作機械における計測結果を分析する処理（以下、「計測結果分析処理」ともいう。）のためのプログラムを実行する。計測結果分析処理のためのプログラムを実行することにより、ＣＰＵ１１には、機能的構成として、プログラム作成部１１ａと、プログラム実行部１１ｂと、計測結果記憶処理部１１ｃと、計測結果分類部１１ｄと、分析対象分類部１１ｅと、計測結果抽出部１１ｆと、分析結果表示部１１ｇと、が形成される。
【００１８】
プログラム作成部１１ａは、ユーザによるプログラムの作成指示を受け付け、計測を実行するためのプログラムを作成する。また、プログラム作成部１１ａは、ユーザの指示に従って、計測を実行するためのプログラムとして、記憶部１６等に記憶されている既存のプログラムを選択することも可能である。プログラム実行部１１ｂは、プログラム作成部１１ａによって作成又は選択されたプログラムを実行し、工作機械における計測を実行する。計測結果記憶処理部１１ｃは、プログラム実行部１１ｂによって実行された工作機械の計測結果と計測の属性とを対応付けて、エントリとして計測結果記憶部１６ａに記憶する。なお、以下、工作機械の計測結果と計測の属性とが対応付けられた情報を、適宜「計測結果情報」ともいう。
【００１９】
図２は、計測結果情報の一例を示す模式図である。図２に示すように、工作機械の各計測結果には、計測の属性が対応付けて記憶されている。なお、計測の属性とは、計測対象の加工における加工条件及び計測時の計測条件を含むものである。加工条件には、計測を行うためのプログラムや、計測のためにユーザによって設定されたパラメータが含まれる。また、計測条件には、計測方法（自動計測であるか／手動計測であるか）、計測種類（計測対象が工具であるか／ワークであるか）、計測結果のフィードバック先（計測結果を対応付ける工具の識別情報又はワークの座標）が含まれる。計測結果のフィードバック先には、計測結果を対応付ける工具の種類（フラットエンドミル、ボールエンドミル等）が関連付けられている。
【００２０】
計測結果分類部１１ｄは、計測結果記憶部１６ａに記憶された計測結果のエントリ毎に計測結果を分類する。具体的には、計測結果分類部１１ｄは、計測結果記憶部１６ａに記憶された計測結果の第１行のエントリを第１の計測結果として分類する。また、計測結果分類部１１ｄは、計測結果記憶部１６ａに記憶された計測結果の第２行以降のエントリにおいて、第１の計測結果の計測方法、計測種類、プログラム及びフィードバック先と一致するものを、第１の計測結果に分類する。更に、計測結果分類部１１ｄは、計測結果記憶部１６ａに記憶された計測結果の第２行以降のエントリにおいて、既に分類された計測結果と一致しないエントリが検出される毎に、新たな計測結果（第２の計測結果、第３の計測結果・・・等）として分類する。
【００２１】
そして、計測結果分類部１１ｄは、計測結果記憶部１６ａに記憶された計測結果のエントリに、計測結果の分類を識別する情報（分類の番号等）を付してテーブル形式のデータ（以下、「分類テーブル」ともいう。）を生成し、生成した分類テーブルを分類テーブル記憶部１６ｂに記憶する。
【００２２】
図３は、分類テーブルの一例を示す模式図である。図３に示すように、分類テーブルにおいては、各計測結果及び計測の属性に対して、計測結果の分類（結果分類）が付加されている。分析対象分類部１１ｅは、分類テーブル記憶部１６ｂに記憶された計測結果の分類毎に、比較対象となる計測結果の分類及び分析項目を分類する。具体的には、分析対象分類部１１ｅは、分類テーブル記憶部１６ｂに記憶された計測結果の分類の順に、その計測結果の分類に対して、項目（計測方法、計測種類、プログラム及びフィードバック先）が１つのみ異なる他の計測結果の分類を特定する。この１つのみ異なる項目は、異なる計測結果の分類間で分析対象となる情報である。そして、分析対象分類部１１ｅは、分類テーブル記憶部１６ｂに記憶された計測結果の分類に、特定された他の計測結果の分類を識別する情報（分類の番号等）を付してテーブル形式のデータ（以下、「分析対象テーブル」ともいう。）を生成し、生成した分析対象テーブルを分析対象テーブル記憶部１６ｃに記憶する。また、本実施形態において、分析対象分類部１１ｅは、異なる計測結果の分類間で１つのみ異なる項目を分析項目として計測結果の分類に付して、分析対象テーブルを生成する。なお、計測結果の分類に対して、項目（計測方法、計測種類、プログラム及びフィードバック先）が１つのみ異なる他の計測結果の分類が存在しない場合、分析対象分類部１１ｅは、その計測結果の分類に対応する他の計測結果の分類がないことを示す情報を分析対象テーブルに格納する。
【００２３】
図４は、分析対象テーブルの一例を示す模式図である。図４に示すように、分析対象テーブルにおいては、計測結果の分類に対して、項目が１つのみ異なる他の計測結果が特定されている。例えば、計測結果の分類「１」に対しては、フィードバック先の工具のみが異なる計測結果の分類「４」が特定されている。また、計測結果の分類「７」に対しては、プログラムが異なる分類「３」及びフィードバック先の工具が異なる分類「６」が特定されている。
【００２４】
計測結果抽出部１１ｆは、分析結果表示部１１ｇに対して分析結果の表示が指示された計測結果に関連する情報を計測結果記憶部１６ａ、分類テーブル記憶部１６ｂ及び分析対象テーブル記憶部１６ｃから読み出し、分析結果表示部１１ｇに出力する。分析結果表示部１１ｇは、ユーザの指示に応じて、分析結果を表示する計測結果に関連する情報を、計測結果抽出部１１ｆを介して取得する。そして、分析結果表示部１１ｇは、ユーザの指示に応じた計測結果の分析（工具の相違に関連する分析、プログラムの相違に関連する分析、ワークの形状に関する分析等）を実行し、分析結果を表示部１５に表示する。
【００２５】
図５は、計測結果の分析結果を表示させるための入力画面例を示す模式図である。図５に示す入力画面例では、初期画面において、ユーザは、分析対象として、「工具」又は「プログラム」のいずれかの項目を選択可能となっている。そして、ユーザが「工具」又は「プログラム」のいずれかの項目を選択すると、選択された項目に従属する項目（下位項目）が選択可能に表示される。図５に示す入力画面例では、「工具」が選択された結果、「工具」に従属する下位項目である「工具種類」として、「ボールエンドミル」又は「フラットエンドミル」が選択可能に表示されている。更に、ユーザがいずれかの下位項目を選択すると、初期画面に続く画面（以下、「結果表示画面」ともいう。）において、その下位項目を分析対象とした分析結果が一覧表示される。図５に示す例では、結果表示画面において、ユーザによって選択された「フラットエンドミル」の分析結果が一覧表示されている。
【００２６】
図６〜図８は、分析結果の例を示す模式図であり、図６は工具の相違に関連する分析結果の例、図７はプログラムの相違に関連する分析結果の例、図８はワークの形状に関する分析結果の例を示す図である。図６に示すように、フィードバック先の工具が異なる計測結果の分類間で分析が行われた場合、これらの計測結果に含まれる加工結果（ここでは工具直径）について、工具種類毎に、加工回数と工具直径との関係がグラフ表示される。図６に示す例では、工具Ｂ（フラットエンドミル）よりも工具Ａ（ボールエンドミル）の方が摩耗しづらいことがわかる。
【００２７】
また、図７に示すように、プログラム（加工条件）が異なる計測結果の分類間で分析が行われた場合、これらの計測結果に含まれる加工結果（ここでは工具直径）について、プログラム毎に、加工回数と工具直径との関係がグラフ表示される。図７に示す例では、プログラムＰ３の加工条件よりもプログラムＰ２の加工条件の方が、工具が摩耗しづらいことがわかる。
【００２８】
また、図８に示すように、ワークの形状（ここではボーリングされた穴の内径）に関する分析が行われた場合、分類が同一である各計測結果に含まれる加工結果について、加工回数とワークの形状（ボーリングされた穴の内径）との関係がグラフ表示される。図８に示す例では、第１回の加工から第１４回の加工結果は、基準とする内径に対して許容される公差の範囲内に収まっていることがわかる。
【００２９】
図１において、ＲＯＭ１２には、計測結果分析装置１を制御するための各種システムプログラムが予め書き込まれている。ＲＡＭ１３は、ＤＲＡＭ（Ｄｙｎａｍｉｃ  Ｒａｎｄｏｍ  Ａｃｃｅｓｓ  Ｍｅｍｏｒｙ）等の半導体メモリによって構成され、ＣＰＵ１１が各種処理を実行する際に生成されるデータを記憶する。入力部１４は、キーボードやマウス、又は、タッチセンサ等の入力装置によって構成され、ユーザによる計測結果分析装置１への各種情報の入力を受け付ける。
【００３０】
表示部１５は、ＬＣＤ（Ｌｉｑｕｉｄ  Ｃｒｙｓｔａｌ  Ｄｉｓｐｌａｙ）等の表示装置によって構成され、計測結果分析装置１の各種処理結果を表示する。
記憶部１６は、ハードディスク、フラッシュメモリ等の不揮発性の記憶装置によって構成され、計測結果分析処理のためのプログラム等を記憶する。また、記憶部１６には、プログラム実行部１１ｂによって実行された工作機械の計測結果と計測の属性とを対応付けたエントリが記憶された計測結果記憶部１６ａ、分類テーブルが記憶された分類テーブル記憶部１６ｂ、及び、分析対象テーブルが記憶された分析対象テーブル記憶部１６ｃがそれぞれ形成される。
【００３１】
図１において、通信部１７は、有線又は無線ＬＡＮやＵＳＢ等、所定の通信規格に基づいて信号処理を行う通信インターフェースを備え、計測結果分析装置１が他の装置との間で行う通信を制御する。
【００３２】
［動作］
次に、計測結果分析装置１の動作を説明する。
［計測結果分析処理］
図９は、計測結果分析装置１が実行する計測結果分析処理の流れを説明するフローチャートである。計測結果分析処理は、入力部１４を介して、計測結果分析処理を起動させる指示が入力されることにより開始される。
【００３３】
ステップＳ１において、プログラム作成部１１ａは、ユーザによるプログラムの作成指示を受け付け、計測を実行するためのプログラムを作成する。このとき、プログラム作成部１１ａは、ユーザの指示に従って、計測を実行するためのプログラムとして、記憶部１６等に記憶されている既存のプログラムを選択することも可能である。
【００３４】
ステップＳ２において、プログラム実行部１１ｂは、プログラム作成部１１ａによって作成又は選択されたプログラムを実行する。これにより、工作機械における計測が実行される。
【００３５】
ステップＳ３において、計測結果記憶処理部１１ｃは、プログラム実行部１１ｂによって実行された工作機械の計測結果と計測の属性とを対応付けて、エントリ（計測結果情報）として計測結果記憶部１６ａに記憶する。
【００３６】
ステップＳ４において、計測結果分類部１１ｄは、計測結果記憶部１６ａに記憶された計測結果の１エントリを読み出す。
【００３７】
ステップＳ５において、計測結果分類部１１ｄは、読み出した計測結果のエントリが既に存在する計測結果の分類に該当するか否かの判定を行う。読み出した計測結果のエントリが既に存在する計測結果の分類に該当する場合、ステップＳ５においてＹＥＳと判定されて、処理はステップＳ６に移行する。一方、読み出した計測結果のエントリが既に存在する計測結果の分類に該当しない場合、ステップＳ５においてＮＯと判定されて、処理はステップＳ７に移行する。
【００３８】
ステップＳ６において、計測結果分類部１１ｄは、読み出した計測結果のエントリに、該当する計測結果の分類を設定する。ステップＳ６の後、処理はステップＳ８に移行する。
【００３９】
ステップＳ７において、計測結果分類部１１ｄは、読み出した計測結果のエントリに対応する新たな計測結果の分類を生成し、その計測結果のエントリに設定する。
【００４０】
ステップＳ８において、計測結果分類部１１ｄは、計測結果記憶部１６ａに記憶された計測結果の最終のエントリを処理したか否かの判定を行う。計測結果記憶部１６ａに記憶された計測結果の最終のエントリを処理した場合、ステップＳ８においてＹＥＳと判定されて、処理はステップＳ９に移行する。一方、計測結果記憶部１６ａに記憶された計測結果の最終のエントリを処理していない場合、ステップＳ８においてＮＯと判定されて、処理はステップＳ４に移行する。
【００４１】
ステップＳ９において、計測結果分類部１１ｄは、計測結果のエントリに、計測結果の分類を識別する情報（分類の番号等）を付した分類テーブルを分類テーブル記憶部１６ｂに記憶する。
【００４２】
ステップＳ１０において、分析対象分類部１１ｅは、分類テーブル記憶部１６ｂに記憶された計測結果の分類の１エントリを読み出す。
【００４３】
ステップＳ１１において、分析対象分類部１１ｅは、読み出した計測結果の分類のエントリに対し、項目（計測方法、計測種類、プログラム及びフィードバック先）が１つのみ異なる他の計測結果の分類を特定する。
【００４４】
ステップＳ１２において、分析対象分類部１１ｅは、分類テーブル記憶部１６ｂに記憶された計測結果の分類の最終のエントリを処理したか否かの判定を行う。分類テーブル記憶部１６ｂに記憶された計測結果の分類の最終のエントリを処理した場合、ステップＳ１２においてＹＥＳと判定されて、処理はステップＳ１３に移行する。一方、分類テーブル記憶部１６ｂに記憶された計測結果の分類の最終のエントリを処理していない場合、ステップＳ１２においてＮＯと判定されて、処理はステップＳ１０に移行する。
【００４５】
ステップＳ１３において、分析対象分類部１１ｅは、分類テーブル記憶部１６ｂに記憶された計測結果の分類に、特定された他の計測結果の分類を識別する情報（分類の番号等）を付した分析対象テーブルを分析対象テーブル記憶部１６ｃに記憶する。
【００４６】
ステップＳ１４において、分析結果表示部１１ｇは、入力部１４を介して、ユーザから分析結果の表示内容の入力（分析結果を表示する計測結果の指示）を受け付ける。
【００４７】
ステップＳ１５において、計測結果抽出部１１ｆは、入力された分析結果の表示内容に関連する情報を計測結果記憶部１６ａ、分類テーブル記憶部１６ｂ及び分析対象テーブル記憶部１６ｃから読み出す。
【００４８】
ステップＳ１６において、分析結果表示部１１ｇは、ユーザの指示に応じた計測結果の分析（工具の相違に関連する分析、プログラムの相違に関連する分析、ワークの形状に関する分析等）を実行し、分析結果を表示部１５に表示する。
【００４９】
ステップＳ１７において、分析結果表示部１１ｇは、計測結果分析処理を終了させる指示が入力されたか否かの判定を行う。計測結果分析処理を終了させる指示が入力されていない場合、ステップＳ１７においてＮＯと判定されて、処理はステップＳ１４に移行する。一方、計測結果分析処理を終了させる指示が入力された場合、ステップＳ１７においてＹＥＳと判定されて、計測結果分析処理は終了となる。
【００５０】
以上のように、本実施形態に係る計測結果分析装置１は、工作機械における計測結果を計測の属性と対応付けて記憶する。そして、計測結果分析装置１は、記憶された計測結果を計測方法、計測種類、プログラム及びフィードバック先に基づいて分類する。更に、計測結果分析装置１は、計測結果の分類毎に、比較対象となる計測結果の分類及び分析項目を分類する。そして、計測結果分析装置１は、分析結果の表示が指示された計測結果に関連する情報を計測結果記憶部１６ａ、分類テーブル記憶部１６ｂ及び分析対象テーブル記憶部１６ｃから読み出し、ユーザの指示に応じた計測結果の分析（工具の相違に関連する分析、プログラムの相違に関連する分析、ワークの形状に関する分析等）を実行する。計測結果分析装置１は、この分析結果を表示部１５に表示する。これにより、工作装置において、時系列に種々の計測が実行された場合であっても、特定項目の分析を目的とする計測結果を容易に抽出し、分析結果を取得することができる。したがって、工作機械における計測結果をより適切に分析することができる。
【００５１】
また、計測結果分析装置１は、既に分類された計測結果と一致する計測結果のエントリに既存の計測結果の分類を設定し、既に分類された計測結果と一致しないエントリが検出される毎に、新たな計測結果の分類を生成して設定する。これにより、種々の計測結果に対して、適切に計測結果の分類を設定することができる。
【００５２】
また、計測結果分析装置１は、計測結果の分類の順に、その計測結果の分類に対して、項目（計測方法、計測種類、プログラム及びフィードバック先）が１つのみ異なる他の計測結果の分類を特定する。そして、計測結果分析装置１は、計測結果の分類に対して、特定された他の計測結果の分類を識別する情報（分類の番号等）を付す。これにより、計測結果を比較して分析を行うことが可能な他の計測結果及び比較対象となる項目を適切に特定することが可能となる。
【００５３】
また、計測結果分析装置１は、計測結果のエントリに、計測結果の分類を識別する情報（分類の番号等）を付して分類テーブルを生成する。これにより、取得された多様な計測結果において、計測結果の分析を容易に行うことが可能となる。
【００５４】
また、計測結果分析装置１は、工作機械における計測を行うためのプログラムを実行する。これにより、工作機械における計測を行う装置において、計測結果の分析をより適切に行うことが可能となる。
【００５５】
なお、本発明は、上述の実施形態及び変形例に限定されるものではなく、種々の変更及び変形等が可能である。例えば、上述の実施形態において、計測結果分析装置１において取得された分析結果を分析結果表示部１１ｇが表示画面に表示することとしたが、分析結果の出力方法は、表示画面における表示に限られない。例えば、他の装置への分析結果のデータの送信、印刷媒体への分析結果の印刷、又は、記憶媒体への分析結果のデータの記憶といった出力方法とすることが可能である。
【００５６】
また、上述の実施形態において、計測結果分析装置１がプログラムの実行、計測結果の取得、計測結果の分類、比較対象となる他の計測結果の分類の特定、計測結果の分析、及び、分析結果の表示を行うこととしたが、これに限られない。即ち、計測結果分析装置１が、これらの処理の一部を行うこととし、他の処理を計測結果分析装置１以外の装置で実行することが可能である。例えば、プログラムの実行、及び、計測結果の取得を他の装置で行い、計測結果分析装置１は、計測結果の分類、比較対象となる他の計測結果の分類の特定、計測結果の分析、及び、分析結果の表示を行うこととしてもよい。なお、比較対象となる他の計測結果の分類の特定は、複数の計測結果の分類を比較する場合に実行されれば足りる。即ち、例えば、ワークの形状（ボーリングされた穴の内径）に関する分析が行われる場合等、他の計測結果の分類との比較を要しない分析に関しては、比較対象となる他の計測結果の分類の特定を行わないこととしてもよい。
【００５７】
また、上述の実施形態において、分析結果の表示を行う場合、分析対象が有する定性的な特徴（複数の工具における摩耗のしづらさの比較結果等）に加え、定量的な特徴（複数の工具における摩耗のしづらさの度合いを示す数値等）を出力することとしてもよい。
【００５８】
以上説明した実施形態の計測結果分析装置１の機能の全部又は一部は、ハードウェア、ソフトウェア又はこれらの組合せにより実現することができる。ここで、ソフトウェアによって実現されるとは、プロセッサがプログラムを読み込んで実行することにより実現されることを意味する。ハードウェアで構成する場合、計測結果分析装置１の機能の一部又は全部を、例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ゲートアレイ、ＦＰＧＡ（Ｆｉｅｌｄ  Ｐｒｏｇｒａｍｍａｂｌｅ  Ｇａｔｅ  Ａｒｒａｙ）、ＣＰＬＤ（Ｃｏｍｐｌｅｘ  Ｐｒｏｇｒａｍｍａｂｌｅ  Ｌｏｇｉｃ  Ｄｅｖｉｃｅ）等の集積回路（ＩＣ）で構成することができる。
【００５９】
計測結果分析装置１の機能の全部又は一部をソフトウェアで構成する場合、計測結果分析装置１の動作の全部又は一部を記述したプログラムを記憶した、ハードディスク、ＲＯＭ等の記憶部、演算に必要なデータを記憶するＤＲＡＭ、ＣＰＵ、及び各部を接続するバスで構成されたコンピュータにおいて、演算に必要な情報をＤＲＡＭに記憶し、ＣＰＵで当該プログラムを動作させることで実現することができる。
【００６０】
これらのプログラムは、様々なタイプのコンピュータ可読媒体（ｃｏｍｐｕｔｅｒ  ｒｅａｄａｂｌｅ  ｍｅｄｉｕｍ）を用いて格納され、コンピュータに供給することができる。コンピュータ可読媒体は、様々なタイプの実体のある記録媒体（ｔａｎｇｉｂｌｅ  ｓｔｏｒａｇｅ  ｍｅｄｉｕｍ）を含む。コンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ（Ｒｅａｄ  Ｏｎｌｙ  Ｍｅｍｏｒｙ）、ＣＤ−Ｒ、ＣＤ−Ｒ／Ｗ、ＤＶＤ−ＲＯＭ（Ｄｉｇｉｔａｌ  Ｖｅｒｓａｔｉｌｅ  Ｄｉｓｋ）、ＤＶＤ−Ｒ、ＤＶＤ−Ｒ／Ｗ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュメモリ、ＲＡＭ（Ｒａｎｄｏｍ  Ａｃｃｅｓｓ  Ｍｅｍｏｒｙ））を含む。また、これらのプログラムは、ネットワークを介してユーザのコンピュータにダウンロードされることにより配布されてもよい。
【００６１】
以上、本発明の実施形態について詳細に説明したが、前述した実施形態は、本発明を実施するにあたっての具体例を示したに過ぎない。本発明の技術的範囲は、前記実施形態に限定されるものではない。本発明は、その趣旨を逸脱しない範囲において種々の変更が可能であり、それらも本発明の技術的範囲に含まれる。
【符号の説明】
【００６２】
１  計測結果分析装置
１１  ＣＰＵ
１１ａ  プログラム作成部
１１ｂ  プログラム実行部（計測実行部）
１１ｃ  計測結果記憶処理部
１１ｄ  計測結果分類部
１１ｅ  分析対象分類部
１１ｆ  計測結果抽出部（関連情報取得部）
１１ｇ  分析結果表示部（分析結果出力部）
１２  ＲＯＭ
１３  ＲＡＭ
１４  入力部
１５  表示部
１６  記憶部
１６ａ  計測結果記憶部
１６ｂ  分類テーブル記憶部
１６ｃ  分析対象テーブル記憶部
１７  通信部
【図１】
2019128678.tif 000003
【図２】
2019128678.tif 000004
【図３】
2019128678.tif 000005
【図４】
2019128678.tif 000006
【図５】
2019128678.tif 000007
【図６】
2019128678.tif 000008
【図７】
2019128678.tif 000009
【図８】
2019128678.tif 000010
【図９】
2019128678.tif 000011